(57)【要約】【課題】  たわみ性建物資材又は非たわみ性建物資材をフレームに保持させるときの煩雑さを解消する保持構造を提供すること。【解決手段】  建物資材の保持構造は枠体（１１）と、保持体（１３）と、装飾体（１５）を備える。枠体は本体部（１７）と、本体部の一方側に設けられる第１の係止部（１９）と、第１の係止部と対向するように第１の係止部から間隔をおいて本体部の一方側に設けられる第２の係止部（２１）と、本体部の他方側に設けられる第３の係止部（２３）とを有する。保持体は第１の係止部に接触可能な突当部（２７）と、第１の係止部に引っ掛け可能な第１の引掛部（２９）と、第２の係止部に引っ掛け可能な、第２の係止部と相俟って建物資材（２５）を保持する第２の引掛部（３１）と、係止部（３３）とを有する。装飾体は枠体の第３の係止部に引っ掛け可能な第１の引掛部（３５）と、保持体の係止部に引っ掛け可能な第２の引掛部（３７）とを有する。【選択図】  図１
2008045379.tif 000002
【特許請求の範囲】
【請求項１】
本体部と、当該本体部の一方側に設けられる第１の係止部と、当該第１の係止部と対向するように第１の係止部から間隔をおいて前記本体部の一方側に設けられる第２の係止部と、前記本体部の他方側に設けられる第３の係止部とを有する枠体と、
前記第１の係止部に接触可能な突当部と、前記第１の係止部に引っ掛け可能な第１の引掛部であって、前記第１の係止部に引っ掛けられるとき、前記突当部と相俟って前記第１の係止部をはさむように形成される第１の引掛部と、前記第２の係止部に引っ掛け可能な第２の引掛部であって、前記第２の係止部に引っ掛けられるとき、前記第２の係止部と相俟って建物資材を保持する第２の引掛部と、前記突当部を間にして前記第１の引掛部の反対側に設けられる係止部とを有する保持体と、
前記枠体の前記第３の係止部に引っ掛け可能な第１の引掛部と、前記保持体の前記係止部に引っ掛け可能な第２の引掛部とを有し、これら引掛部によって前記枠体に固定される装飾体と、
を備える建物資材の保持構造。
【請求項２】
前記建物資材はたわみ性材料からなり、前記第２の係止部と前記第２の引掛部との間にたわんではさまれることを特徴とする、請求項１記載の建物資材の保持構造。
【請求項３】
前記建物資材は非たわみ性材料からなり、前記第２の係止部及び前記第２の引掛部はそれぞれ前記建物資材の縁部をはさむ壁部を有することを特徴とする、請求項１記載の建物資材の保持構造。
【請求項４】
前記装飾体は前記枠体に固定されるとき前記保持体の一部と面接触し、前記第２の引掛部の前記壁部に力を及ぼすように形成されることを特徴とする、請求項３記載の建物資材の保持構造。
【請求項５】
前記装飾体は実質的にすきまの無い状態で前記枠体に固定されることを特徴とする、請求項１ないし４いずれか記載の建物資材の保持構造。
【請求項６】
前記枠体の前記第３の係止部は断面が半円形を呈するように形成され、前記装飾体の前記第１の引掛部は断面が前記第３の係止部の断面と整合する半円形を呈するように形成されることを特徴とする、請求項５記載の建物資材の保持構造。
【請求項７】
本体部と、当該本体部の一方側に設けられる第１の係止部と、当該第１の係止部と対向するように第１の係止部から間隔をおいて前記本体部の一方側に設けられる第２の係止部と、前記本体部の他方側に設けられる第３の係止部とを有する枠体と、
前記第１の係止部に接触可能な突当部と、前記第１の係止部に引っ掛け可能、かつ、離脱可能な第１の引掛部であって、前記第１の係止部に引っ掛けられるとき、前記突当部と相俟って前記第１の係止部をはさむように形成される第１の引掛部と、前記第２の係止部に引っ掛け可能、かつ、離脱可能な第２の引掛部であって、前記第２の係止部に引っ掛けられるとき、前記第２の係止部と相俟ってたわみ性の建物資材をたわましてはさんで保持する第２の引掛部と、前記突当部を間にして前記第１の引掛部の反対側に設けられる係止部とを有する保持体と、
前記枠体の前記第３の係止部に引っ掛け可能、かつ、離脱可能な第１の引掛部と、前記保持体の前記係止部に引っ掛け可能、かつ、離脱可能な第２の引掛部とを有し、これら引掛部によって前記枠体に固定される装飾体と、
を備えるたわみ性建物資材の保持構造。
【請求項８】
前記枠体の前記第３の係止部は断面が半円形を呈するように形成され、前記装飾体の前記第１の引掛部は断面が前記第３の係止部の断面と整合する半円形を呈するように形成されることを特徴とする、請求項７記載のたわみ性建物資材の保持構造。
【請求項９】
前記装飾体は実質的にすきまの無い状態で前記枠体に固定されることを特徴とする、請求項７又は８記載のたわみ性建物資材の保持構造。
【請求項１０】
本体部と、当該本体部の一方側に設けられる第１の係止部と、当該第１の係止部と対向するように第１の係止部から間隔をおいて前記本体部の一方側に設けられる、壁部を有する第２の係止部と、前記第１の係止部を間にして前記第２の係止部の反対側に設けられる第３の係止部とを有する枠体と、
前記第１の係止部に接触可能な突当部と、前記第１の係止部に引っ掛け可能、かつ、離脱可能な第１の引掛部であって、前記第１の係止部に引っ掛けられるとき、前記突当部と相俟って前記第１の係止部をはさむように形成される第１の引掛部と、前記第２の係止部に引っ掛け可能、かつ、離脱可能な、壁部を有する第２の引掛部であって、前記第２の係止部に引っ掛けられるとき、前記第２の係止部の前記壁部と前記第２の引掛部の前記壁部との間で非たわみ性の建物資材の縁部をはさんで保持する第２の引掛部と、前記突当部を間にして前記第１の引掛部の反対側に設けられる係止部とを有する保持体と、
前記枠体の前記第３の係止部に引っ掛け可能、かつ、離脱可能な第１の引掛部と、前記保持体の前記係止部に引っ掛け可能、かつ、離脱可能な第２の引掛部とを有し、これら引掛部によって前記枠体に固定される装飾体と、
を備える非たわみ性建物資材の保持構造。
【請求項１１】
前記装飾体は前記枠体に固定されるとき前記保持体の一部と面接触し、前記第２の引掛部の前記壁部に力を及ぼすように形成されることを特徴とする、請求項１０記載の非たわみ性建物資材の保持構造。
【請求項１２】
前記枠体の前記第３の係止部の断面が半円形を呈するように形成され、前記装飾体の前記第１の引掛部は断面が前記第３の係止部の断面と整合する半円形を呈するように形成されることを特徴とする、請求項１０又は１１記載の非たわみ性建物資材の保持構造。
【請求項１３】
前記装飾体は実質的にすきまの無い状態で前記枠体に固定されることを特徴とする、請求項１０ないし１２のいずれか記載の非たわみ性建物資材の保持構造。
【発明の詳細な説明】
【技術分野】
【０００１】
この発明は、網や不織布、紙のようなたわみ性建物資材と、ガラスや硬質プラスチックのような非たわみ性建物資材を保持する構造に関する。
【背景技術】
【０００２】
たわみ性建物資材、たとえば網をフレームに保持させて網戸を作ろうとする場合、フレームに前もって形成しておいた溝内に網の縁部と、溝の幅よりもわずかに大きな径の弾力性の紐を押し込み、紐の弾力を利用して網の縁部をフレームに固定している。
【０００３】
非たわみ性建物資材、たとえばガラスをフレームに保持させるにはガラスの縁部とフレームとの接合部においてガラスの両側にパテを詰めたり、弾力性の紐を押し込んだりしてガラスの縁部をフレームに固定している。
【発明の開示】
【発明が解決しようとする課題】
【０００４】
たわみ性建物資材である網の場合、フレームの全周にわたっている溝に紐を過不足なく配置した上、紐を網の縁部と一緒に溝内に押し込んで縁部を固定しなければならず、網をフレームに取り付ける作業が非常に煩雑である。
【０００５】
非たわみ性建物資材であるガラスの場合、パテの詰め込み作業は専用の工具を使用して比較的能率良くできる。しかし、紐の押し込み作業はフレームの全周にわたって紐を配置した上、紐をガラスの縁部とフレームとの間に押し込む必要があり、煩雑である。
【課題を解決するための手段】
【０００６】
この発明の目的は、たわみ性建物資材又は非たわみ性建物資材をフレームに保持させるときの煩雑さを解消する保持構造を提供することにある。
【０００７】
この目的を達成するためにこの発明は、次の構成を備え、作用効果を奏する。なお、何れかの請求項記載の発明の構成等を説明するに当って行う用語の定義等は、その性質上可能な範囲において他の請求項記載の発明にも適用があるものとする。
【０００８】
（請求項１記載の発明の特徴）
請求項１記載の建物資材の保持構造は枠体と、保持体と、装飾体を備える。枠体は本体部と、当該本体部の一方側に設けられる第１の係止部と、当該第１の係止部と対向するように第１の係止部から間隔をおいて前記本体部の一方側に設けられる第２の係止部と、前記本体部の他方側に設けられる第３の係止部とを有する。保持体は前記第１の係止部に接触可能な突当部と、前記第１の係止部に引っ掛け可能な第１の引掛部であって、前記第１の係止部に引っ掛けられるとき、前記突当部と相俟って前記第１の係止部をはさむように形成される第１の引掛部と、前記第２の係止部に引っ掛け可能な第２の引掛部であって、前記第２の係止部に引っ掛けられるとき、前記第２の係止部と相俟って建物資材を保持する第２の引掛部と、前記突当部を間にして前記第１の引掛部の反対側に設けられる係止部とを有する。装飾体は前記枠体の前記第３の係止部に引っ掛け可能な第１の引掛部と、前記保持体の前記係止部に引っ掛け可能な第２の引掛部とを有し、これら引掛部によって前記枠体に固定される。
【０００９】
保持構造の枠体は網戸や襖のフレーム、部屋の仕切り壁のフレーム、ガラス窓のフレームなどであり、それ自体が本来必要とする強度を備える。そのためには枠体はアルミや鋼材、硬質プラスチックなどで形成し、強度は枠体の本体部で持たせる。枠体は枠体と建物資材によって形成される建物部品に応じて、建物の窓枠に配置されるレール上を滑って移動する便宜のため、レールに適合する車を取り付けたり、建物部品の上方に配置される、この発明外のフレームから懸垂するための溝を設けたりなど、建物部品に適した装具と一緒に使用されるが、このような装具はこの発明とは直接関係がない。保持体は一方では建物資材を保持し、他方では装飾体を保持するものであり、硬質プラスチックで形成することが便宜であるが、アルミによって作ることもできる。装飾体は建物部品に美観を与えるもので、その建物部品が置かれる場所や、建物資材の材質、周囲とのバランスなどを勘案して表面を飾ることができる。硬質プラスチックやアルミで作ることができる。必要ならば紙又は軟質プラスチックシート製の表面装飾物を張りつけることができる。
【００１０】
請求項１記載の建物資材の保持構造によれば、本体部の第１の係止部に保持体の突当部を接触させ、本体部の第１及び第２の係止部に保持体の第１及び第２の引掛部を引っ掛けるだけで建物資材を保持できるので、建物資材を枠体に取り付ける作業が簡単であり、迅速な作業が期待できる。また、装飾体の保持も保持体を利用しており、部品点数が少ない。すなわち、保持体が一方では建物資材の保持に、他方では装飾体の保持に寄与する。
【００１１】
（請求項２記載の発明の特徴）
請求項２記載の建物資材の保持構造は、請求項１記載の建物資材の保持構造の基本的な構成に加え、前記建物資材はたわみ性材料からなり、前記第２の係止部と前記第２の引掛部との間にたわんではさまれる構成を備える。
【００１２】
建物資材が網や不織布、紙のようなたわみ性のものであるから、建物資材の縁部をたわませることができる上、このような建物資材は一般的に比較的薄い材質であるから、はさんで保持することができる。すなわち第２の引掛部を第２の係止部に引っ掛けようとする押し込みのときに建物資材の縁部をたわませ、その状態で第２の引掛部を第２の係止部に完全に引っ掛けることによって縁部を固定することができる。
【００１３】
請求項２記載の建物資材の保持構造によれば、たわみ性建物資材の縁部を第２の係止部と第２の引掛部で単にはさむだけで保持できるので、第２の係止部及び第２の引掛部は、第２の引掛部が第２の係止部に引っ掛かって固定される構造とするだけでよく、簡単な構造にすることができる。また、たわみ性建物資材がたわんではさまれるため、たわみ性建物資材の摩擦力が大きくなって保持が確実になる。
【００１４】
（請求項３記載の発明の特徴）
請求項３記載の建物資材の保持構造は、請求項１記載の建物資材の保持構造の基本構成に加え、前記建物資材は非たわみ性材料からなり、前記第２の係止部及び前記第２の引掛部はそれぞれ前記建物資材の縁部をはさむ壁部を有する構成を備える。
【００１５】
建物資材がガラスや硬質プラスチックのような非たわみ性のものである場合、縁部をたわませてはさむことはできない。ガラスや硬質プラスチックが建物資材として使用されるとき、一般的にこれら建物資材はたわみ性の網や不織布、紙と比べて厚みが大きい。そこで、建物資材の縁部を第２の係止部及び第２の引掛部それぞれに設けた壁部ではさんで保持する。壁部は、建物資材がガラスであるか、硬質プラスチックであるかによって壁部が負担すべき重量が異なることから、建物資材に応じて壁部の長さを代えたり、建物資材と接触する面に摩擦力を大きくするための加工を施したりすることができる。
【００１６】
請求項３記載の建物資材の保持構造によれば、非たわみ性の建物資材の縁部をたわませることなく２つの壁部ではさんで、いわゆる挟持の状態で縁部を保持することができる。壁部が負担すべき建物資材の重量や建物資材の材質に応じて壁部の長さや壁部の接触面加工などを選択でき、過剰構造となることなく適切に建物資材を保持することができる。
【００１７】
（請求項４記載の発明の特徴）
請求項４記載の建物資材の保持構造は、請求項３記載の建物資材の保持構造の構成に加え、前記装飾体は前記枠体に固定されるとき前記保持体の一部と面接触し、前記第２の引掛部の前記壁部に力を及ぼすように形成された構成を備える。
【００１８】
装飾体が面接触する大きさや面接触する箇所などは保持体と装飾体の相対関係で定まることから、建物資材の材質、重量などを勘案して定める。
【００１９】
請求項４記載の建物資材の保持構造によれば、装飾体を枠体に固定するだけで建物資材の縁部に及ぼされる挟持力を大きくすることができる。したがって、建物資材を保持体で保持した状態よりも、装飾体を固定した使用状態において一層大きな挟持力で保持することから、使用時の安全性を高めることができる。
【００２０】
（請求項５記載の発明の特徴）
請求項５記載の建物資材の保持構造は、請求項１ないし４記載の建物資材の保持構造の構成に加え、前記装飾体は実質的にすきまの無い状態で前記枠体に固定される構成を備える。
【００２１】
請求項５記載の建物資材の保持構造によれば、装飾体が実質的にすきまの無い状態で枠体に固定されることから、使用時に装飾体ががたついたり、係止部と引掛部の引掛による係合が外れることによる装飾体の脱落を防ぐことができる。
【００２２】
（請求項６記載の発明の特徴）
請求項６記載の建物資材の保持構造は、請求項５記載の建物資材の保持構造の構成に加え、前記枠体の前記第３の係止部は断面が半円形を呈するように形成され、前記装飾体の前記第１の引掛部は断面が前記第３の係止部の断面と整合する半円形を呈するように形成される構成を備える。
【００２３】
装飾体の第１の引掛部が枠体の第３の係止部に嵌まるためには、引掛部の断面が係止部の断面より大きければよい。しかし、そのような関係では装飾体ががたついてしまう。整合するとは引掛部が実質的にぴったりと係止部に嵌まる関係をいう。
【００２４】
請求項６記載の建物資材の保持構造によれば、枠体の係止部の断面及び装飾体の引掛部の断面が半円形であるため、装飾体を枠体に固定する際、装飾体の第１の引掛部を枠体の係止部に嵌めて装飾体を回転すれば、装飾体の第２の引掛部が保持体の係止部に引っ掛かって装飾体を固定でき、その固定が簡単である。また、固定した装飾体は、がたつきなく保持される。
【００２５】
（請求項７記載の発明の特徴）
請求項７記載の建物資材の保持構造は枠体と、保持体と、装飾体とを備える。枠体は本体部と、当該本体部の一方側に設けられる第１の係止部と、当該第１の係止部と対向するように第１の係止部から間隔をおいて前記本体部の一方側に設けられる第２の係止部と、前記本体部の他方側に設けられる第３の係止部とを有する。保持体は前記第１の係止部に接触可能な突当部と、前記第１の係止部に引っ掛け可能、かつ、離脱可能な第１の引掛部であって、前記第１の係止部に引っ掛けられるとき、前記突当部と相俟って前記第１の係止部をはさむように形成される第１の引掛部と、前記第２の係止部に引っ掛け可能、かつ、離脱可能な第２の引掛部であって、前記第２の係止部に引っ掛けられるとき、前記第２の係止部と相俟ってたわみ性の建物資材をたわましてはさんで保持する第２の引掛部と、前記突当部を間にして前記第１の引掛部の反対側に設けられる係止部とを有する。装飾体は前記枠体の前記第３の係止部に引っ掛け可能、かつ、離脱可能な第１の引掛部と、前記保持体の前記係止部に引っ掛け可能、かつ、離脱可能な第２の引掛部とを有し、これら引掛部によって前記枠体に固定される。
【００２６】
枠体とたわみ性の建物資材によって形成される建物部品と、その使用箇所によっては、たわみ性の建物資材をいわば埋め殺した状態とし、建物資材を交換する必要がないか、交換するにしても枠体をも含めて交換することがある。逆に、たわみ性の建物資材を交換し、枠体を繰返し使用することが好ましいこともある。この発明では後者に対処できる。
【００２７】
請求項７記載の建物資材の保持構造によれば、たわみ性の建物資材を枠体から取り外して交換することが可能であり、枠体を繰返し使用できる。
【００２８】
（請求項８記載の発明の特徴）
請求項８記載の建物資材の保持構造は、請求項７の建物資材の保持構造の基本構成に加え、前記枠体の前記第３の係止部は断面が半円形を呈するように形成され、前記装飾体の前記第１の引掛部は断面が前記第３の係止部の断面と整合する半円形を呈するように形成される構成を備える。
【００２９】
装飾体の第１の引掛部が枠体の第３の係止部に嵌まるためには、引掛部の断面が係止部の断面より大きければよい。しかし、そのような関係では装飾体ががたついてしまう。整合するとは引掛部が実質的にぴったりと係止部に嵌まる関係をいう。
【００３０】
請求項８記載の建物資材の保持構造によれば、枠体の係止部の断面及び装飾体の引掛部の断面が半円形であるため、装飾体を枠体に固定する際、装飾体の第１の引掛部を枠体の係止部に嵌めて装飾体を回転すれば、装飾体の第２の引掛部が保持体の係止部に引っ掛かって装飾体を固定でき、その固定が簡単である。したがって、たわみ性建物資材を取り外して交換し、枠体を繰返し使用する際の作業能率を高めることができる。また、固定した装飾体は、がたつきなく保持される。
【００３１】
（請求項９記載の発明の特徴）
請求項９記載の建物資材の保持構造は、請求項７又は８記載の建物資材の保持構造の構成に加え、前記装飾体は実質的にすきまの無い状態で前記枠体に固定される構成を備える。
【００３２】
請求項９記載の建物資材の保持構造によれば、装飾体が実質的にすきまの無い状態で枠体に固定されることから、使用時に装飾体ががたついたり、係止部と引掛部の引掛による係合が外れることによる装飾体の脱落を防ぐことができる。枠体を繰返し使用する場合、わずかながたつきが増幅されることが起こりうるが、この発明によればそのような事態の発生を防ぐことができる。
【００３３】
（請求項１０記載の発明の特徴）
請求項１０記載の建物資材の保持構造は枠体と、保持体と、装飾体とを備える。枠体は本体部と、当該本体部の一方側に設けられる第１の係止部と、当該第１の係止部と対向するように第１の係止部から間隔をおいて前記本体部の一方側に設けられる、壁部を有する第２の係止部と、前記第１の係止部を間にして前記第２の係止部の反対側に設けられる第３の係止部とを有する。保持体は前記第１の係止部に接触可能な突当部と、前記第１の係止部に引っ掛け可能、かつ、離脱可能な第１の引掛部であって、前記第１の係止部に引っ掛けられるとき、前記突当部と相俟って前記第１の係止部をはさむように形成される第１の引掛部と、前記第２の係止部に引っ掛け可能、かつ、離脱可能な、壁部を有する第２の引掛部であって、前記第２の係止部に引っ掛けられるとき、前記第２の係止部の前記壁部と前記第２の引掛部の前記壁部との間で非たわみ性の建物資材の縁部をはさんで保持する第２の引掛部と、前記突当部を間にして前記第１の引掛部の反対側に設けられる係止部とを有する。装飾体は前記枠体の前記第３の係止部に引っ掛け可能、かつ、離脱可能な第１の引掛部と、前記保持体の前記係止部に引っ掛け可能、かつ、離脱可能な第２の引掛部とを有し、これら引掛部によって前記枠体に固定される。
【００３４】
枠体と非たわみ性の建物資材によって形成される建物部品と、その使用箇所によっては、非たわみ性の建物資材をいわば埋め殺した状態とし、建物資材を交換する必要がないか、交換するにしても枠体をも含めて交換することがある。逆に、非たわみ性の建物資材を交換し、枠体を繰返し使用することが好ましいこともある。この発明では後者に対処できる。
【００３５】
請求項１０記載の建物資材の保持構造によれば、非たわみ性の建物資材を枠体から外して交換することが可能であり、枠体を繰返し使用できる。
【００３６】
（請求項１１記載の発明の特徴）
請求項１１記載の建物資材の保持構造は、請求項１０記載の建物資材の保持構造の基本構成に加え、前記装飾体は前記枠体に固定されるとき前記保持体の一部と面接触し、前記第２の引掛部の前記壁部に力を及ぼすように形成される構成を備える。
【００３７】
装飾体が面接触する大きさや面接触する箇所などは保持体と装飾体の相対関係で定まることから、非たわみ性建物資材の材質、重量などを勘案して定める。
【００３８】
請求項１１記載の建物資材の保持構造によれば、装飾体を枠体に固定するだけで非たわみ性建物資材の縁部に及ぼされる挟持力を大きくすることができる。したがって、非たわみ性建物資材を保持体で保持した状態よりも、装飾体を固定した使用状態において一層大きな挟持力で保持することから、使用時の安全性を高めることができる。
【００３９】
（請求項１２記載の発明の特徴）
請求項１２記載の建物資材の保持構造は、請求項１０又は１１記載の建物資材の保持構造の構成に加え、前記枠体の前記第３の係止部の断面が半円形を呈するように形成され、前記装飾体の前記第１の引掛部は断面が前記第３の係止部の断面と整合する半円形を呈するように形成される構成を備える。
【００４０】
装飾体の第１の引掛部が枠体の第３の係止部に嵌まるためには、引掛部の断面が係止部の断面より大きければよい。しかし、そのような関係では装飾体ががたついてしまう。整合するとは引掛部が実質的にぴったりと係止部に嵌まる関係をいう。
【００４１】
請求項１２記載の建物資材の保持構造によれば、枠体の係止部の断面及び装飾体の引掛部の断面が半円形であるため、装飾体を枠体に固定する際、装飾体の第１の引掛部を枠体の係止部に嵌めて装飾体を回転すれば、装飾体の第２の引掛部が保持体の係止部に引っ掛かって装飾体を固定でき、その固定が簡単である。したがって、非たわみ性建物資材を取り外して交換し、枠体を繰返し使用する際の作業能率を高めることができる。また、固定した装飾体は、がたつきなく保持される。
【００４２】
（請求項１３記載の発明の特徴）
請求項１３記載の建物資材の保持構造は、請求項１０ないし１２のいずれか記載の建物資材の保持構造の構成に加え、前記装飾体は実質的にすきまの無い状態で前記枠体に固定される構成を備える。
【００４３】
請求項１３記載の建物資材の保持構造によれば、装飾体が実質的にすきまの無い状態で枠体に固定されることから、使用時に装飾体ががたついたり、係止部と引掛部の引掛による係合が外れることによる装飾体の脱落を防ぐことができる。枠体を繰り返して使用する場合、わずかながたつきが増幅されることが起こりうるが、この発明によればそのような事態の発生を防ぐことができる。
【００４４】
（発明の効果）
この発明によれば、網や不織布、紙のようなたわみ性建物資材、又はガラスや硬質プラスチックのような非たわみ性建物資材をフレームに取り付けるときの煩雑さを解消できる。
【発明を実施するための最良の形態】
【００４５】
次に図面を参照しながらこの発明の実施例を説明する。図面中、図１は建物資材の保持構造の第１の実施例であり、枠体と保持体と装飾体を分解して示す断面図、図２は保持体を枠体に組み付け、装飾体を分解した建物資材の保持構造の一部を示す斜視図、図３は枠体と保持体と装飾体を組み付けて建物資材の保持構造とした断面図で、たわみ性建物資材を仮想線で示してあり、図４は枠体と保持体と装飾体を組み付けて建物資材の保持構造とした一部の斜視図、図５は建物資材の保持構造の第２の実施例であり、枠体と保持体と装飾体を組み付けて建物資材の保持構造とした断面図で、非たわみ性建物資材を仮想線で示してあり、図６は建物資材の保持構造によって得られた建物部品を示す正面図、図７は建物資材の保持構造によって得られた建物部品の斜視図である。
【００４６】
建物資材の保持構造は、図１ないし図４に示すように、枠体１１と、保持体１３と、装飾体１５を備える。
【００４７】
（枠体の構造）
枠体１１は本体部１７と、当該本体部１７の一方側１８ａに設けられる第１の係止部１９と、当該第１の係止部１９と対向するように第１の係止部１９から間隔をおいて本体部１７の一方側１８ａに設けられる第２の係止部２１と、本体部１７の他方側１８ｂに設けられる第３の係止部２３とを有する。枠体１１はアルミを押し出し成形して作られている。
【００４８】
本体部１７は中空部１８ｃを有し、第１の係止部１９は中空部１８ｃの下側の底部１８ｄから下方へ突出している。第１の係止部１９はその下面に丸み２０をつけてあり、後述する第１の引掛部の引掛を容易にしている。第２の係止部２１は、本体部１７の底部１８ｄから下方へ延びている延長片１８ｅから水平に延びる調節片２２ａと、調節片２２ａから上方へ突出する突起２２ｂとからなる。突起２２ｂの上面に丸み２２ｃをつけてあり、後述する第２の引掛部の引掛を容易にしている。第３の係止部２３は本体部１７の頂部１８ｆから上方へ延びる調節片２４ａと、調節片２４ａの上端にある半円形の係合部２４ｂとからなる。調節片２２ａ，２４ａの長さを調節することにより、保持体１３及び装飾体１５との相互関係を調節できる。本体部１７の中空部１８ｃは軽量化のため、またリブ１８ｇは補強のために設けてある。
【００４９】
（保持体の構造）
保持体１３は枠体１１の第１の係止部１９に接触可能な突当部２７と、第１の係止部１９に引っ掛け可能な第１の引掛部２９と、枠体１１の第２の係止部２１に引っ掛け可能な第２の引掛部３１と、突当部２７を間にして第１の引掛部２９の反対側に設けられる係止部３３とを有する。保持体１３は硬質プラスチックを射出成形してつくられている。
【００５０】
突当部２７は第１の係止部１９の少なくとも一部と接触し、第１の引掛部２９が第１の係止部１９に引っ掛けられるとき、第１の引掛部２９と相俟って第１の係止部１９をはさみ、保持体１３の部分を第１の係止部１９に保持させるように形成されている。突当部２７は連結片２８ａ及び枝片２８ｂによって第１の引掛部２９に連なり、枝片２８ｂの先端部が第１の引掛部２９となっている。
【００５１】
第１の引掛部２９は先端に丸み３０ａを有し、第１の係止部１９の丸み２０と相俟って第１の引掛部２９の引掛を容易にしている。第１の引掛部２９が第１の係止部１９に引っ掛けられるべく進出すると、第１の係止部１９が突当接部２７と第１の引掛部２９との間の空間３０ｂに入り、第１の引掛部２９が第１の係止部１９に引っ掛かる。第１の引掛部２９が第１の係止部１９に引っ掛けられた後、第１の引掛部２９が第１の係止部１９から容易に離脱できるか、容易には離脱できないかは、第１の引掛部２９の長さや、第１の係止部１９に対する角度などによって決まる。図示の実施例では第１の引掛部２９の第１の係止部１９に対する角度が緩いため、容易な離脱が可能である。使用目的に応じて容易な離脱を可能にするか、不可能にするかを選定する。
【００５２】
第２の引掛部３１は連結片２８ａから延びている調節片３２ａと突起３２ｂからなる。第２の引掛部３１は第２の係止部２１に引っ掛けるべく進出されるとき、第２の係止部２１と相俟ってたわみ性の建物資材２５をたわませ、その後はさんで保持する。そのため、突起３２ｂは建物資材２５の厚み分のすきまが第２の係止部２１の突起２２ｂとの間に確保でき、しかも建物資材２５の保持が確実となるように大きさや形状を定める。第２の引掛部３１が第２の係止部２１に引っ掛けられた後、第２の引掛部３１が第２の係止部２１から容易に離脱できるか、容易には離脱できないかは、第２の引掛部３１の突起３２ｂの形状や長さ、第２の係止部２１の突起２２ｂの形状や長さなどによって決まる。図示の実施例では第２の係止部２１の突起２２ｂがほぼ円錐状になっているため容易な離脱が可能である。使用目的に応じて容易な離脱を可能にするか、不可能にするかを選定する。係止部３３は連結片２８ａから延びている調節片３４ａと突起３４ｂからなる。係止部３３は後述する装飾体１５の第２の引掛部を引っ掛けて保持する。調節片３２ａの長さを変えることにより第２の係止部２１との位置関係を調節し、調節片３４ａの長さを変えることにより装飾体１５の第２の引掛部との位置関係を調節する。
【００５３】
（装飾体の構造）
装飾体１５は枠体１１の第３の係止部２３に引っ掛け可能な第１の引掛部３５と、保持体１３の係止部３３に引っ掛け可能な第２の引掛部３７とを有し、これら引掛部によって枠体１１に固定される。装飾体１５はアルミを押し出し成形して作られている。
【００５４】
装飾体１５は本体部１６ａを有し、本体部１６ａは厚肉の当接部１６ｂと薄肉の連結部１６ｃを有する。第１の引掛部３５は当接部１６ｂから上方へ延びている調節片３６ａと、調節片３６ａの上端に設けられた半円形の嵌合部３６ｂからなる。嵌合部３６ｂは枠体１１の第３の係止部２３の係合部２４ｂに嵌まる凹部３６ｃを有する。第２の引掛部３７は連結部１６ｃから保持体１３に向けて水平に延びる調節片３８ａと突起３８ｂからなる。調節片３６ａの長さを変えて係止部２３との位置関係を調節し、調節片３８ａの長さを変えて係止部３３との位置関係を調節する。第１の引掛部３５の凹部３６ｃを第３の係止部２３の係合部２４ｂに嵌めて装飾体１５を図１において反時計方向へ回転すると、第２の引掛部３７の突起３８ｂが保持体１３の係止部３３の突起３４ｂに引っ掛かり、装飾体１５は枠体１１に固定される。
【００５５】
装飾体１５の第１の引掛部３５は枠体１１の第３の係止部２３に引っ掛けられた後、第３の係止部２３から容易に離脱できる。第２の引掛部３７が保持体１３の係止部３３に引っ掛けられた後、係止部３３から容易に離脱できるか、容易には離脱できないかは、第２の引掛部３７の突起３８ｂの形状や長さ、係止部３３の突起３４ｂの形状や長さなどによって決まる。図示の実施例では、第２の引掛部３７の突起３４ｂが三角形状であるため、容易に離脱できる。
【００５６】
装飾体１５の厚肉の当接部１６ｂは枠体１１に固定されたとき、図３に示すように、枠体の本体部１７の側壁１８ｈと密着し、装飾体１５は実質的にすきまの無い状態で枠体１１に固定されている。
【００５７】
（建物資材の保持構造の組立）
図１に示すように、枠体１１の一方側１８ａにたわみ性建物資材２５の縁部をもたらし、先端部分２６を保持体１３の第一の引掛部２９及び突当部２７の上側に導き、位置決めをする。この場合、たわみ性建物資材の縁部の先端を保持体１３の係止部３３の先端に近接させ、手で調節片３４ａ及び先端部分２６をつかむ。その後、保持体１３を矢印Ｂのように枠体１１に向けて押し込む。そうすると、保持体１３の第１の引掛部２９が先端部分２６をたわませて枠体１１の第１の係止部１９に引っ掛かり、突当部２７が先端部分２６を介して第１の係止部１９に突き当たる。一方、保持体１３の第２の引掛部３１が建物資材２５の縁部をたわませて枠体１１の第２の係止部２１に引き込み、第２の引掛部３１が第２の係止部２１に引っ掛かって建物資材２５の保持が完了する。この例のように、たわみ性建物資材の縁部の先端部分２６を第１の引掛部２９と第１の係止部１９ではさみ、かつ、第２の引掛部３１と第２の係止部２１ではさんで保持するようにすれば、確実に保持できる。先端部分２６を第１の引掛部２９と第１の係止部１９ではさむため、建物資材の縁部の厚み分が第１の引掛部２９と第１の係止部１９との間に介在できるように第１の引掛部２９及び第１の係止部１９の寸法を定めておく。前述の他、第２の引掛部３１と第２の係止部２１ではさんで保持するだけでもよい。第１の保持体１３の押し込みによる作用は前述したとおりであるが、この場合、第１の引掛部２９の第１の係止部１９への引っ掛けと突当部２７の第１の係止部１９への突当をまず行い、その後、この部分を中心として保持体１３を反時計方向へ回転し、第２の引掛部３１を第２の係止部２１に引っ掛けることが好ましい。このような操作により、確実で迅速な保持作業を行うことができる。保持体１３による建物資材２５の保持が完了した後、装飾体１５を矢印Ｃのように押し込み、まず装飾体１５の第１の引掛部３５を枠体１１の第３の係止部２３に嵌める。その後、装飾体１５を反時計方向に回転して第２の引掛部３７を保持体１３の係止部３３に引っ掛ける。
【００５８】
図２及び図４に示すように、枠体１１や保持体１３、装飾体１５は所定の方向、図示の場合には水平方向へ一定の長さで延びる。枠体１１と建物資材２５とによって建物部品を形成する場合、一般的には枠体１１を建物資材２５の四周に張り巡らす。前述の説明は建物資材２５の一辺について述べたが、残りの三辺は同じ構造で保持すればよい。
【００５９】
（建物資材の保持構造の別の実施例）
図５を参照して別の実施例を説明する。なお、図１ないし図４に示した実施例と実質的に同じ構造には同じ符号をつけ、詳細な説明は省略する。図５に示す建物資材の保持構造は枠体５１と、保持体５３と、装飾体１５を備える。
【００６０】
（枠体の構造）
枠体５１は本体部１７と、本体部１７の一方側１８ａに設けられる第１の係止部１９と、第１の係止部１９と対向するように第１の係止部１９から間隔をおいて本体部１７の一方側１８ａに設けられる第２の係止部５５と、本体部１７の他方側１８ｂに設けられる第３の係止部２３とを有する。この実施例では、第２の係止部５５は水平の調節片２２ａから垂直に延びる壁部５６ａを有し、壁部５６ａの先端は丸み５６ｂとなっている。
【００６１】
（保持体の構造）
保持体５３は枠体５１の第１の係止部１９に接触可能な突当部２７と、第１の係止部１９に引っ掛け可能、かつ、離脱可能な第１の引掛部２９であって、第１の係止部１９に引っ掛けられるとき、突当部２７と相俟って第１の係止部１９をはさむように形成される第１の引掛部２９と、第２の係止部５５に引っ掛け可能、かつ、離脱可能な第２の引掛部５７と、突当部２７を間にして第１の引掛部２９の反対側に設けられる係止部３３とを有する。この実施例では、第２の引掛部５７は水平の調節片３２ａから垂直に延びる壁部５８ａと、壁部５８ａの頂点から水平に延びる第２の調節片５８ｂと、調節片５８ｂの端から下方へ突出する突起５８ｃを有する。第２の引掛部５７は、第２の係止部５５に引っ掛けられるとき、第２の係止部５５の壁部５６ａと第２の引掛部５７の壁部５８ａとの間で非たわみ性建物資材５９の縁部をはさんで保持する。非たわみ性建物資材５９の厚みに応じて調節片５８ｂの長さを変える。装飾体１５は枠体１１の第３の係止部２３に引っ掛け可能、かつ、離脱可能な第１の引掛部３５と、保持体５３の係止部３３に引っ掛け可能、かつ、離脱可能な第２の引掛部３７とを有し、これら引掛部３５，３７によって枠体５１に固定される。
【００６２】
装飾体１５は枠体５１に固定されるとき保持体５３の一部、つまり連結片２８ａの下方部分２８ｃと面接触する。その結果、第２の引掛部５７の壁部５８ａに力を及ぼすことができる。枠体５１に固定された装飾体１５は保持体５３の係止部３３と第２の引掛部３７の作用により、図５において第３の係止部２３を中心とした反時計方向の引っ張り力を受ける。この引っ張り力が調節片３２ａを介して壁部５８ａに及ぼされ、非たわみ性建物資材５９を挟持する力となる。
【００６３】
（建物部品の例）
枠体に建物資材を組み付けて形成された建物部品１０１は、たとえば図６及び７に示すものとなる。図示の建物部品１０１は不織布のようなたわみ性建物資材２５を枠体１１に組み付けて形成され、装飾体１５で四周を被ったものであり、部屋の仕切り壁として使用されている。仕切り壁１０１はレール１０３に沿って移動できるように、図３の部位１０５に適当な装具を取りつけられるが、この装具はこの発明の範囲外のものである。
【図面の簡単な説明】
【００６４】
【図１】建物資材の保持構造の第１の実施例であり、枠体と保持体と装飾体を分解して示す断面図である。
【図２】保持体を枠体に組み付け、装飾体を分解した建物資材の保持構造の一部を示す斜視図である。
【図３】枠体と保持体と装飾体を組み付けて建物資材の保持構造とした断面図で、たわみ性建物資材を仮想線で示してある。
【図４】枠体と保持体と装飾体を組み付けて建物資材の保持構造とした一部の斜視図である。
【図５】建物資材の保持構造の第２の実施例であり、枠体と保持体と装飾体を組み付けて建物資材の保持構造とした断面図で、非たわみ性建物資材を仮想線で示してある。
【図６】建物資材の保持構造によって得られた建物部品を示す正面図である。
【図７】建物資材の保持構造によって得られた建物部品の斜視図である。
【符号の説明】
【００６５】
１１    枠体
１３    保持体  
１５    装飾体  
１６ａ  本体部
１６ｂ  当接部
１６ｃ  連結部
１７    本体部
１８ａ  一方側
１８ｂ  他方側
１８ｃ  中空部
１８ｄ  底部  
１８ｅ  延長片
１８ｆ  頂部
１８ｇ  リブ
１８ｈ  側壁
１９    第１の係止部
２０    丸み
２１    第２の係止部
２２ａ  調節片
２２ｂ  突起
２２ｃ  丸み
２３    第３の係止部
２４ａ  調節片
２４ｂ  係合部
２５    たわみ性建物資材
２６    先端部分
２７    突当部
２８ａ  連結片
２８ｂ  枝片
２８ｃ  下方部分
２９    第１の引掛部
３０ａ  丸み
３０ｂ  空間
３１    第２の引掛部
３２ａ  調節片
３２ｂ  突起
３３    係止部
３４ａ  調節片
３４ｂ  突起
３５    第１の引掛部
３６ａ  調節片
３６ｂ  嵌合部
３６ｃ  凹部
３７    第２の引掛部
３８ａ  調節片
３８ｂ  突起
５１    枠体
５３    保持体
５５    第２の係止部
５６ａ  壁部
５６ｂ  丸み
５７    第２の引掛部
５８ａ  壁部
５８ｂ  第２の調節片
５８ｃ  突起
５９    非たわみ性建物資材
１０１  建物部品
１０３  レール
１０５  部位
【図１】
2008045379.tif 000003
【図２】
2008045379.tif 000004
【図３】
2008045379.tif 000005
【図４】
2008045379.tif 000006
【図５】
2008045379.tif 000007
【図６】
2008045379.tif 000008
【図７】
2008045379.tif 000009